(57)【要約】【課題】カバー部材が不意に開くことを抑制しつつ、カバー部材を開く際の操作を容易にする。【解決手段】車載用記録装置１０は、筐体１２と、カバー部材２２と、支持壁部４０と、引張コイルバネ５８とを備える。筐体１２は、前面に開口２０を有する。カバー部材２２は、開口２０を閉じるカバー部２４と、カバー部２４の幅方向に突出しカバー部２４の上下方向に延びる直状突起３８とを有する。支持壁部４０は、筐体１２の上下方向に延び直状突起３８が挿入された溝４２と、溝４２の上側に隣接し直状突起３８を回転可能に支持可能な穴４４とを有し、筐体１２に設けられている。引張コイルバネ５８は、一端部がカバー部材２２に固定されると共に他端部が筐体１２に固定され、カバー部材２２が閉じた状態においてカバー部材２２を下側に付勢する。【選択図】図７
2019003515.tif 000002
【特許請求の範囲】
【請求項１】
前面に開口を有する筐体と、
前記開口を閉じるカバー部と、前記カバー部の幅方向に突出し前記カバー部の上下方向に延びる直状突起とを有するカバー部材と、
前記筐体の上下方向に延び前記直状突起が挿入された溝と、前記溝の上側に隣接し前記直状突起を回転可能に支持可能な穴とを有し、前記筐体に設けられた支持壁部と、
一端部が前記カバー部材に固定されると共に他端部が前記筐体に固定され、前記カバー部材が閉じた状態において前記カバー部材を下側に付勢するバネ部材と、
を備える車載用記録装置。
【請求項２】
前面に開口を有する筐体と、
前記筐体の幅方向に突出し前記筐体の上下方向に延びる直状突起を有し、前記筐体に設けられた支持壁部と、
前記開口を閉じるカバー部と、前記カバー部の上下方向に延び前記直状突起が挿入された溝と、前記溝の下側に隣接し前記直状突起を回転可能に支持可能な穴とを有するカバー部材と、
一端部が前記カバー部材に固定されると共に他端部が前記筐体に固定され、前記カバー部材が閉じた状態において前記カバー部材を下側に付勢するバネ部材と、
を備える車載用記録装置。
【請求項３】
前記カバー部は、
前記カバー部材が閉じた状態において下端部が上端部よりも前記筐体の前側に位置するように傾斜する傾斜部と、
前記カバー部材が閉じた状態において前記傾斜部の下端部から前記筐体の後側に向けて延びると共に前記開口の下縁部に対して前記筐体の前側に突出する指掛け部と、
を有する、
請求項１又は請求項２に記載の車載用記録装置。
【請求項４】
前記カバー部材に設けられた被係止部と、
前記筐体に設けられ、前記直状突起が前記溝に挿入された状態では、前記筐体の前側から前記被係止部と係止され、前記直状突起が前記穴に移動した状態では、前記被係止部との係止状態が解除される係止部と、
をさらに備える、
請求項１〜請求項３のいずれか一項に記載の車載用記録装置。
【請求項５】
前記直状突起は、前記カバー部の後側に配置され、
前記バネ部材は、一端部及び他端部が前記カバー部材及び前記筐体にそれぞれ回転可能に固定された引張コイルバネであり、
前記引張コイルバネの一端部の回転中心は、前記カバー部材が閉じて前記直状突起が前記溝に挿入された状態、及び、前記カバー部材が持ち上げられて前記直状突起が前記穴に回転可能に支持された状態では、前記引張コイルバネの他端部の回転中心と前記直状突起の回転中心とを通る仮想線よりも前記筐体の前側に位置する、
請求項１〜請求項４のいずれか一項に記載の車載用記録装置。
【請求項６】
前記引張コイルバネの一端部の回転中心は、前記カバー部材が開いた状態では、前記仮想線よりも前記筐体の後側に位置する、
請求項５に記載の車載用記録装置。
【請求項７】
前記カバー部材に設けられ、前記カバー部材の幅方向に凸状をなす凸部及び前記カバー部材の幅方向に凹状をなす凹部の一方により形成された被係合部と、
前記筐体に設けられると共に、前記凸部及び前記凹部の他方により形成され、前記カバー部材が開いた状態において前記被係合部と係合する係合部と、
をさらに備える、
請求項１〜請求項６のいずれか一項に記載の車載用記録装置。
【発明の詳細な説明】
【技術分野】
【０００１】
本願の開示する技術は、車載用記録装置に関する。
【背景技術】
【０００２】
昨今、例えばトラック等の車両には、デジタルタコグラフ等の車載用記録装置が搭載されている。このような車載用記録装置は、情報記録媒体や、外部機器のコネクタ等を挿入するための差込口を備える。この差込口が外部に露出した状態では、差込口に異物が侵入する虞があるので、一般に、差込口は、カバー部材によって覆われる。
【０００３】
このようなカバー部材は、車両上下方向の振動や車両正面からの衝撃等により開かないことが望ましい。そこで、カバー部材に対して可動なロック部材によりカバー部材のロック及びロック解除を行うロック機構が提案されている（例えば、特許文献１、２参照）。
【０００４】
ところが、このようなロック機構は、ロックを解除するための操作が必要とされる。したがって、カバー部材を開く際には、ロック機構のロックを解除する操作と、カバー部材を開く操作の二段階の操作が必要になり、カバー部材を開く際の操作が煩雑になる。
【０００５】
一方、上述のようなロック機構を用いずに、カバー部材をロックする機構としては、次の構造が例示される（例えば、特許文献３参照）。すなわち、例示に係る構造は、筐体に設けられた直状突起と、カバー部材に形成された穴と、穴から下側に延びる溝とを有する。
【０００６】
この構造では、カバー部材が閉じて直状突起が溝に挿入された状態では、直状突起が溝と係合することにより、カバー部材の開く方向への回転が規制される。一方、カバー部材を下側に移動させて直状突起を溝から穴に移動させた状態では、直状突起が穴に回転可能に支持され、カバー部材が開く方向に回転可能になる。
【先行技術文献】
【特許文献】
【０００７】
【特許文献１】特開２０１４−８５８７８号公報
【特許文献２】特開平８−３０７０６６号公報
【特許文献３】実開平５−５７８７８号公報
【発明の概要】
【発明が解決しようとする課題】
【０００８】
しかしながら、上記例示に係る構造では、上述の通り、カバー部材を下側に移動させて直状突起を溝から穴に移動させることで、直状突起が穴に回転可能に支持され、カバー部材が開く方向に回転可能になる。したがって、上記例示に係る構造を車両に適用した場合には、車両上下方向の振動及び重力によりカバー部材が下側に移動してカバー部材が開く方向に回転可能な状態になり、カバー部材が不意に開く虞がある。
【０００９】
本願の開示する技術は、上記事情に鑑みて成されたものであり、カバー部材が不意に開くことを抑制しつつ、カバー部材を開く際の操作が容易である車載用記録装置を提供することを目的とする。
【課題を解決するための手段】
【００１０】
上記目的を達成するために、本願の開示する技術に係る車載用記録装置は、筐体と、カバー部材と、支持壁部と、バネ部材とを備える。筐体は、前面に開口を有する。カバー部材は、開口を閉じるカバー部と、カバー部の幅方向に突出しカバー部の上下方向に延びる直状突起とを有する。支持壁部は、筐体の上下方向に延び直状突起が挿入された溝と、溝の上側に隣接し直状突起を回転可能に支持可能な穴とを有し、筐体に設けられている。バネ部材は、一端部がカバー部材に固定されると共に他端部が筐体に固定され、カバー部材が閉じた状態においてカバー部材を下側に付勢する。
【発明の効果】
【００１１】
本願の開示する技術によれば、カバー部材が不意に開くことを抑制しつつ、カバー部材を開く際の操作を容易にできる。
【図面の簡単な説明】
【００１２】
【図１】車載用記録装置が搭載された車両のダッシュボードの一例を示す正面図である。
【図２】車載用記録装置の第一実施形態を示す斜視図である。
【図３】図２に示される車載用記録装置の正面図である。
【図４】図３に示される車載用記録装置においてカバー部材が持ち上げられた状態を示す正面図である。
【図５】図３に示される車載用記録装置においてカバー部材が開いた状態を示す正面図である。
【図６】図３に示されるカバー部材の周辺部を背面上側から見た斜視図である。
【図７】図３に示されるカバー部材の周辺部を背面斜め上側から見た斜視図である。
【図８】図３に示されるカバー部材の周辺部を背面斜め上側から見た斜視図である。
【図９】図３のＦ９−Ｆ９線断面図である。
【図１０】図４のＦ１０−Ｆ１０線断面図である。
【図１１】図３のＦ１１−Ｆ１１線断面図である。
【図１２】図５のＦ１２−Ｆ１２線断面図である。
【図１３】車載用記録装置の第二実施形態を示す側面断面図である。
【発明を実施するための形態】
【００１３】
［第一実施形態］
はじめに、本願の開示する技術の第一実施形態を説明する。
【００１４】
図１は、車載用記録装置が搭載された車両のダッシュボードの一例を示す正面図である。図１に示されるように、例えばトラック等の車両に設けられたダッシュボード１００には、車載用記録装置１０が搭載される。この車載用記録装置１０は、例えば、車載用デジタルタコグラフ装置、又は、車載用ドライブレコーダ装置等である。
【００１５】
図２は、車載用記録装置１０の第一実施形態を示す斜視図である。図２及び以下に示す各図において、矢印ＦＲ、矢印ＲＨ、矢印ＵＰは、車載用記録装置１０の前側、右側、上側をそれぞれ示している。図２に示されるように、車載用記録装置１０は、筐体１２と、基板１４とを備える。筐体１２は、平盤状に形成されており、基板１４は、筐体１２に収容されている。
【００１６】
筐体１２は、より具体的には、主ケース１６と、フロントケース１８とを備える。主ケース１６は、前側に開口する箱形に形成されており、フロントケース１８は、主ケース１６の前側に組み付けられている。筐体１２の前面には、正面視で筐体１２の幅方向を長手方向とする長方形状の開口２０が形成されている。開口２０は、後述するカバー部材２２に設けられた板状のカバー部２４によって開閉される。
【００１７】
図３は、車載用記録装置１０の正面図である。図３では、カバー部材２２が閉じた状態になっている。図３に示されるように、カバー部２４と開口２０の上縁部との間には、隙間２６が設けられている。後に詳述するように、カバー部材２２は、隙間２６側に持ち上げられてから、カバー部２４の上端部が筐体１２の後側に向けて移動するように回転して開かれる。
【００１８】
図４は、車載用記録装置１０においてカバー部材２２が持ち上げられた状態を示す正面図であり、図５は、車載用記録装置１０においてカバー部材２２が開いた状態を示す正面図である。図５に示されるように、カバー部材２２が開いた状態では、筐体１２の内側に設けられた壁部２８が開口２０を通じて筐体１２の前側に向けて露出する。この壁部２８には、筐体１２の前後方向に貫通する差込口３０、３２が形成されている。差込口３０は、例えば、ＳＤ（Secure Digital）メモリカードを挿入するためのものであり、差込口３２は、例えば、ＵＳＢ（Universal Serial Bus）コネクタを挿入するためのものである。
【００１９】
図６は、カバー部材２２の周辺部を背面上側から見た斜視図であり、図７、図８は、それぞれカバー部材２２の周辺部を背面斜め上側から見た斜視図である。図６〜図８では、カバー部材２２が閉じた状態で示されている。図６〜図８では、理解の容易のために、カバー部材２２が濃いグレーに着色されて示されている。
【００２０】
なお、カバー部２４の後側（背面側）には、上述の隙間２６（図３参照）を塞ぐための目隠し部材７６が設けられている。図６〜図８では、理解の容易のために、目隠し部材７６が薄いグレーに着色されて示されている。この目隠し部材７６については、カバー部材２２の後に説明する。
【００２１】
図６〜図８に示されるように、カバー部材２２は、上述のカバー部２４に加えて、一対の延出部３６を有する。カバー部２４は、正面視で幅方向を長手方向とする長方形状に形成されている。カバー部２４の幅方向は、車載用記録装置１０の左右方向に相当する。カバー部２４は、開口２０と略相似形状であり、開口２０よりも若干小さく形成されている。このカバー部２４は、カバー部材２２が閉じた状態では、開口２０の内側に配置されて開口２０を閉じるように構成されている。
【００２２】
一対の延出部３６は、カバー部２４の幅方向の両側に配置されており、カバー部２４の後面（背面）から延出している。この一対の延出部３６は、カバー部２４の幅方向を厚み方向とする板状に形成されている。一対の延出部３６には、直状突起３８がそれぞれ形成されている。
【００２３】
直状突起３８は、カバー部２４の幅方向を高さ方向として形成されており、延出部３６からカバー部２４の幅方向中央側に向けて突出している。この直状突起３８は、その高さ方向から見た場合に、カバー部２４の上下方向を長手方向として延びる概略長方形状を成している。直状突起３８は、カバー部２４の後面から延出する延出部３６に形成されることにより、カバー部２４の後側（背面側）に配置されている。
【００２４】
筐体１２の底壁部には、筐体１２の幅方向を厚み方向とし筐体１２の上下方向を高さ方向とする一対の支持壁部４０が形成されている。一対の支持壁部４０は、一対の延出部３６の間に配置されており、延出部３６とそれぞれ対向している。支持壁部４０には、溝４２及び穴４４が形成されている。溝４２及び穴４４は、筐体１２の幅方向に貫通している。溝４２は、穴４４の周方向の一部に切り欠かれて形成されており、筐体１２の上下方向を長さ方向として延びている。穴４４は、その貫通方向から見て概略円形を成しており、溝４２の上側に隣接して形成されている。
【００２５】
図９は、図３のＦ９−Ｆ９線断面図である。図９に示されるように、カバー部材２２が閉じた状態（図３も参照）では、直状突起３８が溝４２に挿入されるように、直状突起３８及び溝４２の位置は設定されている。また、直状突起３８の横幅は、溝４２の溝幅よりも若干小さくなっている。そして、直状突起３８が溝４２に挿入された状態では、直状突起３８が溝４２に係合されるように、直状突起３８及び溝４２の形状及び寸法は設定されている。溝４２は、直状突起３８が溝４２に挿入された状態において直状突起３８の回転を規制する回転規制構造としての機能を有する。
【００２６】
図１０は、図４のＦ１０−Ｆ１０線断面図である。図１０に示されるように、カバー部材２２が持ち上げられた状態（図４も参照）では、直状突起３８が穴４４に挿入されるように、穴４４の位置は設定されている。また、直状突起３８の縦方向の長さは、穴４４の直径よりも若干小さくなっている。そして、直状突起３８が穴４４に挿入された状態では、直状突起３８が穴４４に回転可能に支持されるように、直状突起３８及び穴４４の形状及び寸法は設定されている。穴４４は、カバー部材２２が開く方向に直状突起３８を回転可能に支持する回転支持構造としての機能を有する。
【００２７】
図９に示されるように、カバー部２４は、傾斜部４６と、指掛け部４８とを有する。傾斜部４６は、カバー部材２２が閉じた状態において下端部が上端部よりも筐体１２の前側に位置するように傾斜している。指掛け部４８は、カバー部材２２が閉じた状態において傾斜部４６の下端部から筐体１２の後側に向けて延びると共に、開口２０の下縁部に対して筐体１２の前側に突出するように形成されている。
【００２８】
図９、図１０に示されるように、カバー部２４の下端部には、カバー部２４の下側に突出する被係止部５０が形成されている。一方、筐体１２に設けられた開口２０の下縁部には、係止部５２が形成されている。この被係止部５０及び係止部５２は、カバー部材２２が開くことを規制するロック機構としての機能を有する。
【００２９】
つまり、直状突起３８が溝４２に挿入された状態では、係止部５２が筐体１２の前側から被係止部５０と対向して係止部５２が被係止部５０と係止されるように、被係止部５０及び係止部５２の位置は設定されている。また、直状突起３８が穴４４に移動した状態では被係止部５０が係止部５２よりも上側に位置することにより係止部５２と被係止部５０との係止状態が解除されるように、被係止部５０及び係止部５２の位置は設定されている。
【００３０】
図６〜図８に示されるように、延出部３６には、第一フック部５４が形成されている。第一フック部５４は、カバー部２４の幅方向を高さ方向として形成されており、延出部３６からカバー部２４の幅方向外側に向けて突出している。この第一フック部５４は、直状突起３８とは逆方向に突出している。
【００３１】
一方、支持壁部４０の下部には、第二フック部５６が形成されている。第二フック部５６は、第一フック部５４と同じ側、すなわち、支持壁部４０から筐体１２の幅方向外側に向けて突出している。この第一フック部５４及び第二フック部５６には、「バネ部材」の一例である引張コイルバネ５８の一端部及び他端部がそれぞれ固定されている。引張コイルバネ５８の一端部及び他端部は、それぞれ円弧状に形成されており、第一フック部５４及び第二フック部５６に回転可能に引っ掛けられて固定されている。
【００３２】
図１１は、図３のＦ１１−Ｆ１１線断面図である。図１１に示されるように、カバー部材２２が閉じた状態において、第一フック部５４及び第二フック部５６は、直状突起３８に対する筐体１２の前側に配置され、さらに、第二フック部５６は、第一フック部５４の下側に配置される。
【００３３】
図１１に示される仮想線６０は、引張コイルバネ５８の他端部の回転中心Ｃ２と直状突起３８の回転中心Ｃ３とを通る線に相当する。カバー部材２２が閉じて直状突起３８が溝４２に挿入された状態では、引張コイルバネ５８の一端部の回転中心Ｃ１が仮想線６０よりも筐体１２の前側に位置するように、第一フック部５４及び第二フック部５６の位置は設定されている。
【００３４】
また、直状突起３８が溝４２に挿入された状態では、引張コイルバネ５８が筐体１２の上下方向を軸方向として配置されると共に引張状態となるように、第一フック部５４及び第二フック部５６の位置は設定されている。なお、カバー部材２２が持ち上げられて直状突起３８が穴４４に回転可能に支持された状態（図１０参照）においても、引張コイルバネ５８の一端部の回転中心Ｃ１は、仮想線６０よりも筐体１２の前側に位置する。
【００３５】
このように、第一フック部５４及び第二フック部５６の位置が設定されることにより、カバー部材２２が閉じて直状突起３８が溝４２に挿入された状態では、カバー部材２２が引張コイルバネ５８によって下側に付勢される。また、カバー部材２２が持ち上げられて直状突起３８が穴４４に回転可能に支持された状態（図１０参照）では、引張コイルバネ５８によってカバー部材２２が閉じる方向に付勢される。
【００３６】
図１２は、図５のＦ１２−Ｆ１２線断面図である。図１２に示されるように、カバー部材２２は、カバー部２４の上端部が筐体１２の後側に向けて移動するように直状突起３８を支点に回転して開かれる。筐体１２の天壁部と支持壁部４０との間には、空間６２が設けられており、カバー部材２２が開いた状態では、カバー部２４が空間６２に配置される。また、カバー部材２２が開いた状態において、第一フック部５４は、直状突起３８に対する筐体１２の後側に配置される。
【００３７】
図１２に示されるように、カバー部材２２が開いた状態では、引張コイルバネ５８の一端部の回転中心Ｃ１が仮想線６０よりも筐体１２の後側に位置するように、第一フック部５４及び第二フック部５６の位置は設定されている。このように、第一フック部５４及び第二フック部５６の位置が設定されることにより、カバー部材２２が開いた状態では、カバー部材２２が引張コイルバネ５８によって開く方向に付勢される。
【００３８】
図１２に示されるように、穴４４の周縁部の一部、具体的には、穴４４の周縁部のうち筐体１２の後側且つ下側に位置する部位には、穴４４の内側に張り出す角部６６が形成されている（図９も参照）。この角部６６は、直状突起３８の長手方向一方側の端部６８の回転軌跡上に位置する。そして、この角部６６は、カバー部材２２が開いた状態では、直状突起３８の端部６８が角部６６の上面に当接するように、位置及び形状が設定されている。
【００３９】
この角部６６は、カバー部材２２が開いた状態において直状突起３８の端部６８と当接することにより、カバー部材２２が開いた位置を超える方向に直状突起３８が回転することを規制する回転規制構造としての機能を有する。なお、直状突起３８の端部６８は、「被当接部」の一例であり、角部６６は、「当接部」の一例である。
【００４０】
図１１に示されるように、延出部３６の上部には、カバー部材２２の幅方向に凸をなす凸部により形成された被係合部７０が形成されている。この被係合部７０は、より具体的には、支持壁部４０側に突出する凸曲面状に形成されている。一方、支持壁部４０の上部には、上側から切り欠かれた切欠き状の第一係合部７２が形成されている。
【００４１】
また、支持壁部４０における穴４４よりも後側且つ下側には、カバー部材２２の幅方向に凹状をなす凹部により形成された第二係合部７４が形成されている。この第二係合部７４は、より具体的には、延出部３６と反対側に凹む凹曲面状に形成されている。第一係合部７２及び第二係合部７４は、穴４４と同心の同一円周上に位置する。
【００４２】
第一係合部７２は、図１１に示される如くカバー部材２２が閉じた状態において被係合部７０と係合し、カバー部材２２を閉じた状態に保持する閉保持構造としての機能を有する。一方、第二係合部７４は、図１２に示される如くカバー部材２２が開いた状態において被係合部７０と係合し、カバー部材２２を開いた状態に保持する開保持構造としての機能を有する。なお、第二係合部７４は、「係合部」の一例である。
【００４３】
図６〜図８に示されるように、目隠し部材７６は、カバー部２４の後側（背面側）に設けられている。この目隠し部材７６は、目隠し部７８と、一対の軸部８０とを有する。目隠し部７８は、カバー部２４の上部に沿って延びる板状に形成されている。この目隠し部７８は、カバー部材２２が閉じた状態では、図３に示されるように、開口２０の上縁部とカバー部２４の上端部との間の隙間２６を閉塞するように、位置及び形状が設定されている。
【００４４】
図６〜図８に示されるように、一対の軸部８０は、目隠し部７８の後側（背面側）に配置されており、目隠し部７８の幅方向に延びている。目隠し部７８の幅方向は、カバー部２４の幅方向に相当する。軸部８０の一端部は、支持壁部４０に回転可能に支持されている。また、一方の軸部８０には、トーションバネ８２が装着されている。トーションバネ８２の一端部は、壁部２８に係止され、トーションバネ８２の他端部は、目隠し部７８に係止されている。このトーションバネ８２は、弾性圧縮状態とされており、目隠し部材７６を閉じる方向に付勢している。
【００４５】
図９、図１０に示されるように、カバー部２４の上端部には、目隠し部７８側（後側）に突出する凸曲面状の第一凸部８４が設けられており、目隠し部７８には、カバー部２４側（前側）に突出する第二凸部８６が設けられている。図９に示されるように、カバー部材２２が下側に押さえ付けられた状態では、第一凸部８４の頂部よりも上側に第二凸部８６が当接するように、第一凸部８４及び第二凸部８６の位置及び形状は設定されている。また、第一凸部８４の頂部よりも上側に第二凸部８６が当接した状態では、目隠し部材７６が閉じた状態になるように、第一凸部８４及び第二凸部８６の位置及び形状は設定されている。
【００４６】
また、図１０に示されるように、カバー部材２２が持ち上げられた状態では、第一凸部８４の頂部付近に第二凸部８６が当接するように、第一凸部８４及び第二凸部８６の位置及び形状は設定されている。さらに、カバー部材２２が開く方向に回転するときには、第二凸部８６がカバー部２４の後面（背面）に摺接しながら押圧されて目隠し部材７６が開く方向に回転されるように、第二凸部８６の位置及び形状は設定されている。
【００４７】
次に、第一実施形態におけるカバー部材２２の開閉動作について説明する。
【００４８】
図１１に示されるように、カバー部材２２が閉じた状態では、カバー部２４が開口２０の内側に配置されて開口２０が閉じられる（図３も参照）。また、カバー部材２２が閉じた状態では、カバー部材２２が引張コイルバネ５８によって下側に付勢される。このように、カバー部材２２が引張コイルバネ５８によって下側に付勢されると、カバー部材２２が下側に押え付けられ、直状突起３８が溝４２に挿入される（図９も参照）。そして、直状突起３８が溝４２に挿入された状態では、直状突起３８が溝４２に係合されることにより、直状突起３８の回転が規制され、カバー部材２２が閉じた状態に保持される。
【００４９】
また、カバー部材２２が閉じられて直状突起３８が溝４２に挿入された状態では、図９に示される係止部５２が筐体１２の前側から被係止部５０と係止され、カバー部材２２の開く方向への回転が規制される。さらに、カバー部材２２が閉じた状態では、図１１に示される被係合部７０が第一係合部７２と係合し、カバー部材２２が閉じた状態に保持される。
【００５０】
また、図９に示されるトーションバネ８２により目隠し部材７６が閉じる方向に付勢される。そして、カバー部材２２が閉じられて且つ下側に押さえ付けられた状態では、第一凸部８４の頂部よりも上側に第二凸部８６が当接する。これにより、目隠し部材７６が閉じた状態になり、目隠し部７８によって開口２０の上縁部とカバー部２４の上端部との間の隙間２６が閉塞される。
【００５１】
続いて、操作者の指が指掛け部４８に掛けられた状態で、操作者が指を上げると、隙間２６側にカバー部材２２が持ち上げられる（図１０参照）。このようにカバー部材２２が持ち上げられると、図１０に示されるように、直状突起３８が溝４２から穴４４に移動する。そして、カバー部材２２が持ち上げられた状態では、直状突起３８が穴４４に挿入され、直状突起３８が穴４４に回転可能に支持される。
【００５２】
また、直状突起３８が穴４４に移動した状態では、被係止部５０が係止部５２よりも上側に位置することにより係止部５２と被係止部５０との係止状態が解除される。同様に、また、被係合部７０が第一係合部７２（図１１参照）よりも上側に位置することにより被係合部７０と第一係合部７２との係合状態が解除される。このように、係止部５２及び被係止部５０の係止状態が解除されると共に、被係合部７０及び第一係合部７２の係合状態が解除されることにより、カバー部材２２が開く方向に回転可能になる。さらに、カバー部材２２が持ち上げられた状態では、図１０に示されるように、第一凸部８４の頂部付近に第二凸部８６が当接し、目隠し部材７６の開く方向への回転が開始される。
【００５３】
続いて、図１１から図１２に示されるように、操作者の指が指掛け部４８に掛けられた状態で、操作者が指をさらに上げると、カバー部材２２が開く方向に回転する。このとき、カバー部材２２は、カバー部２４の上端部が筐体１２の後側に向けて移動するように直状突起３８を支点に回転する。また、カバー部材２２が開く途中で、引張コイルバネ５８の一端部の回転中心Ｃ１が仮想線６０を超えると、カバー部材２２に対して開く方向への付勢力が作用し、操作者によるカバー部材２２を開く動作が補助される。さらに、カバー部材２２が開く方向に回転するときには、第二凸部８６がカバー部２４の後面に摺接しながら押圧されることにより目隠し部材７６が開く方向に回転される。
【００５４】
そして、図１２に示されるように、カバー部材２２が開いた状態では、カバー部２４が筐体１２の天壁部と支持壁部４０との間の空間６２に配置される。また、カバー部材２２が開いた状態では、第一フック部５４が直状突起３８に対する筐体１２の後側に配置され、引張コイルバネ５８の一端部の回転中心Ｃ１が仮想線６０よりも筐体１２の後側に位置する。これにより、カバー部材２２が引張コイルバネ５８によって開く方向に付勢される。
【００５５】
また、カバー部材２２が開いた状態では、直状突起３８の端部６８が角部６６の上面に当接することにより、カバー部材２２が開いた位置を超える方向に直状突起３８が回転することが規制される。さらに、このときには、被係合部７０が第二係合部７４と係合し、カバー部材２２が開いた状態に保持される。また、カバー部材２２が開いた状態では、目隠し部材７６もカバー部材２２に押されて開いた状態となる。
【００５６】
そして、以上のようにしてカバー部材２２が開いた状態では、図５に示されるように、壁部２８が開口２０を通じて筐体１２の前側に向けて露出し、この壁部２８に形成された差込口３０、３２が筐体１２の前側に向けて露出する。これにより、差込口３０に対してＳＤメモリカードを挿抜したり、差込口３２にＵＳＢコネクタを挿抜したりすることが可能になる。
【００５７】
一方、カバー部材２２が開いた状態で、操作者がカバー部２４の下端部に指を掛けてカバー部２４の下端部を引き下げると、被係合部７０と第二係合部７４との係合状態が解除される。そして、穴４４に挿入された直状突起３８を支点にカバー部材２２が閉じる方向に回転する。また、カバー部材２２が閉じる途中で、引張コイルバネ５８の一端部の回転中心Ｃ１が仮想線６０を超えると、カバー部材２２に対して閉じる方向への付勢力が作用し、操作者によるカバー部材２２を閉じる動作が補助される。
【００５８】
そして、図１０に示されるように、直状突起３８が溝４２の延長線上に位置すると、カバー部材２２が引張コイルバネ５８によって下側に付勢され、図９に示されるように、カバー部材２２と共に直状突起３８が溝４２に自動的に移動する。これにより、カバー部材２２が閉じた状態となり、カバー部２４が開口２０の内側に配置されて開口２０が閉じられる。また、直状突起３８が溝４２に挿入された状態では、直状突起３８が溝４２に係合されることにより、直状突起３８の回転が規制され、カバー部材２２が閉じた状態に保持される。
【００５９】
また、このようにカバー部材２２が閉じられて直状突起３８が溝４２に挿入された状態では、筐体１２の前側から係止部５２が被係止部５０と係止され、カバー部材２２の開く方向への回転が規制される。さらに、カバー部材２２が閉じた状態では、図１１に示される被係合部７０が第一係合部７２と係合し、カバー部材２２が閉じた状態に保持される。
【００６０】
また、上述のように、カバー部材２２が閉じる方向に回転するときには、図９に示されるトーションバネ８２によって目隠し部材７６が閉じる方向に付勢され、目隠し部材７６が閉じる方向に回転する。そして、目隠し部材７６が閉じた状態になると、目隠し部７８によって開口２０の上縁部とカバー部２４の上端部との間の隙間２６が閉塞される。
【００６１】
次に、第一実施形態の作用及び効果について説明する。
【００６２】
以上詳述したように、第一実施形態によれば、カバー部材２２が閉じた状態では、直状突起３８が溝４２に係合されることにより、直状突起３８の回転が規制される。したがって、例えば、車両正面からカバー部材２２に衝撃が加わる場合でも、カバー部材２２を閉じた状態に保持することができる。特に、溝４２は、筐体１２の上下方向に延びているので、車両正面からカバー部材２２に加わる衝撃の方向と、溝４２の延びる方向とが直交する。したがって、車両正面からカバー部材２２に衝撃が加わる場合でも、直状突起３８が溝４２に挿入された状態に維持されるので、カバー部材２２を開いた状態に安定して保持することができる。
【００６３】
しかも、カバー部材２２が閉じた状態では、引張コイルバネ５８によりカバー部材２２が下側に付勢される。したがって、カバー部材２２に車両上下方向の振動が加わる場合でも、直状突起３８が溝４２に挿入された状態に維持されるので、カバー部材２２を閉じた状態に保持することができる。以上より、カバー部材２２が不意に開くことを抑制することができる。
【００６４】
また、カバー部２４の下端部には、カバー部２４の下側に突出する被係止部５０が形成されており、筐体１２に設けられた開口２０の下縁部には、係止部５２が形成されている。そして、カバーが閉じられて直状突起３８が溝４２に挿入された状態では、筐体１２の前側から係止部５２が被係止部５０と係止される。これにより、カバー部材２２の開く方向への回転を規制することができる。
【００６５】
また、カバー部材２２に設けられた延出部３６の上部には、カバー部材２２の幅方向に凸をなす被係合部７０が形成されている。一方、筐体１２に設けられた支持壁部４０の上部には、切欠き状の第一係合部７２が形成されている。そして、カバー部材２２が閉じた状態では、被係合部７０が第一係合部７２と係合する。これにより、カバー部材２２を閉じた状態に保持することができる。
【００６６】
また、溝４２は、筐体１２の上下方向に延びており、直状突起３８を回転可能に支持するための穴４４は、溝４２の上側に隣接して形成されている。したがって、カバー部材２２を開く方向に回転可能にするためには、操作者が指を指掛け部４８に掛けた状態でカバー部材２２を真上に持ち上げて直状突起３８を溝４２から穴４４に移動させれば良い。さらに、カバー部材２２を開く方向に回転させるためには、操作者が指をそのまま上げてカバー部２４の上端部を筐体１２の後側に向けて移動させれば良い。このように、カバー部材２２を開かせるためには、操作者が指を指掛け部４８に掛けた状態で指をそのまま上げれば良いので、操作時の指の動きが無理なくスムーズであり、カバー部材２２を開く際の操作が容易である。
【００６７】
また、カバー部２４には、カバー部材２２が閉じた状態において下端部が上端部よりも筐体１２の前側に位置するように傾斜する傾斜部４６が形成されている。そして、この傾斜部４６がカバー部２４に形成されることにより、傾斜部４６の下側に筐体１２の前後方向のスペースが確保され、このスペースに指掛け部４８が形成されている。したがって、カバー部２４に傾斜部４６及び指掛け部４８が連続して形成されることにより、カバー部２４の前面から指掛け部４８が突出して形成されることを回避することができる。
【００６８】
また、筐体１２に設けられた支持壁部４０における穴４４よりも後側且つ下側には、カバー部材２２の幅方向に凹状をなす第二係合部７４が形成されている。そして、カバー部材２２が開いた状態では、被係合部７０が第二係合部７４と係合する。これにより、カバー部材２２を開いた状態に保持することができる。
【００６９】
また、穴４４の周縁部のうち筐体１２の後側且つ下側に位置する部位には、穴４４の内側に張り出す角部６６が形成されている。この角部６６は、直状突起３８の長手方向一方側の端部６８の回転軌跡上に位置する。そして、カバー部材２２が開いた状態では、直状突起３８の端部６８が角部６６の上面に当接する。これにより、カバー部材２２が開いた位置を超える方向に直状突起３８が回転することを規制することができる。
【００７０】
また、カバー部材２２が開いた状態では、引張コイルバネ５８の一端部の回転中心Ｃ１が仮想線６０よりも筐体１２の後側に位置する。これにより、簡単な構造で、カバー部材２２を開く方向に付勢することができ、ひいては、カバー部材２２を開いた状態に保持することができる。
【００７１】
また、カバー部材２２を閉じる場合には、操作者がカバー部２４の下端部に指を掛けてカバー部２４の下端部を引き下げて被係合部７０と第二係合部７４との係合状態を解除し、そのままカバー部材２２を閉じる方向に回転させれば良い。そして、カバー部材２２が閉じる途中で、引張コイルバネ５８の一端部の回転中心Ｃ１が仮想線６０を超えると、カバー部材２２に対して閉じる方向への付勢力が作用する。これにより、操作者によるカバー部材２２を閉じる動作を補助することができる。
【００７２】
また、カバー部材２２が閉じる方向に回転し、直状突起３８が溝４２の延長線上に位置すると、カバー部材２２が引張コイルバネ５８によって下側に付勢され、カバー部材２２と共に直状突起３８が穴４４から溝４２に自動的に移動する。そして、直状突起３８が溝４２に係合され、カバー部材２２が自動的にロックされる。したがって、カバー部材２２をロックするための専用の操作が不要であり、カバー部材２２を閉じる際の操作も容易である。
【００７３】
また、引張コイルバネ５８の一端部の回転中心Ｃ１は、カバー部材２２が閉じた状態及びカバー部材２２が持ち上げられた状態の両方の場合に、仮想線６０よりも筐体１２の前側に位置する。これにより、カバー部材２２が閉じて直状突起３８が溝４２に挿入された場合には、カバー部材２２を下側に付勢できる。また、カバー部材２２が持ち上げられて直状突起３８が穴４４に回転可能に支持された場合には、カバー部材２２を閉じる方向に付勢できる。つまり、簡単な構造により、カバー部材２２の下側への付勢と、カバー部材２２の閉じる方向への付勢とを両立できる。
【００７４】
また、カバー部２４の後側には、目隠し部材７６が設けられている。そして、カバー部材２２が閉じた状態では、目隠し部材７６が閉じた状態になり、この目隠し部材７６に設けられた目隠し部７８によって開口２０の上縁部とカバー部２４の上端部との間の隙間２６が閉塞される。これにより、隙間２６を通じて異物が侵入することを抑制することができる。
【００７５】
次に、第一実施形態の変形例について説明する。
【００７６】
上記第一実施形態において、溝４２は、穴４４の周方向の一部に切り欠かれて形成されているが、溝４２は、穴４４と別に独立して形成されていても良い。
【００７７】
また、上記第一実施形態では、カバー部材２２が閉じた状態においてカバー部材２２を下側に付勢するために、引張コイルバネ５８が用いられている。しかしながら、カバー部材２２が閉じた状態においてカバー部材２２を下側に付勢することができるバネであれば、引張コイルバネ５８以外のバネ部材が用いられても良い。
【００７８】
また、上記第一実施形態において、被係止部５０は、カバー部２４の下端部に形成され、係止部５２は、筐体１２に設けられた開口２０の下縁部に形成されている。しかしながら、被係止部５０及び係止部５２は、上記以外の部位に形成されていても良い。
【００７９】
また、上記第一実施形態において、直状突起３８の端部６８が角部６６に当接することにより、カバー部材２２が開いた位置を超える方向に直状突起３８が回転することが規制される構造になっている。しかしながら、上記構造以外の被当接部及び当接部が設けられていても良い。つまり、カバー部材２２に被当接部が設けられると共に、被当接部の回転軌跡上に位置する当接部が筐体１２に設けられても良い。そして、カバー部材２２が開いた状態において被当接部及び当接部が当接することにより、カバー部材２２が開いた位置を超える方向に直状突起３８が回転することが規制されても良い。
【００８０】
また、上記第一実施形態において、被係合部７０は、カバー部材２２の幅方向に凸状をなす凸部により形成され、第二係合部７４は、カバー部材２２の幅方向に凹状をなす凹部により形成されている。しかしながら、被係合部７０は、カバー部材２２の幅方向に凹状をなす凹部により形成され、第二係合部７４は、カバー部材２２の幅方向に凸状をなす凸部により形成されても良い。また、被係合部７０が凹部により形成される場合に、第一係合部７２は、凸状に形成されても良い。
【００８１】
また、被係合部７０は、延出部３６の上部に形成され、第一係合部７２及び第二係合部７４は、支持壁部４０に形成されている。しかしながら、被係合部７０、第一係合部７２、及び、第二係合部７４は、上記以外の部位に形成されていても良い。
【００８２】
また、上記第一実施形態において、好ましくは、目隠し部材７６が用いられるが、目隠し部材７６は、省かれても良い。
【００８３】
また、上記複数の変形例のうち組み合わせ可能な変形例は、適宜、組み合わされても良い。
【００８４】
［第二実施形態］
次に、本願の開示する技術の第二実施形態を説明する。
【００８５】
図１３は、車載用記録装置の第二実施形態を示す側面断面図である。図１３に示される第二実施形態に係る車載用記録装置１１０は、上述の第一実施形態に係る車載用記録装置１０（図１〜図１２参照）に対し、直状突起３８と、溝４２及び穴４４の形成部位が逆になっている。
【００８６】
つまり、第二実施形態に係る車載用記録装置１１０において、直状突起３８は、筐体１２に設けられた支持壁部４０に形成されている。この直状突起３８は、筐体１２の幅方向に突出し、筐体１２の上下方向に延びている。一方、溝４２及び穴４４は、カバー部材２２に設けられた延出部３６に形成されている。溝４２は、カバー部２４の上下方向に延びており、穴４４は、溝４２の下側に隣接して形成されている。第二実施形態に係る車載用記録装置１１０において、上記以外の構成は、上述の第一実施形態に係る車載用記録装置１０と同様である。
【００８７】
この第二実施形態に係る車載用記録装置１１０のように構成されていても、上述の第一実施形態に係る車載用記録装置１０と同様のカバー部材２２の開閉動作と作用及び効果を得ることができる。なお、この第二実施形態に係る車載用記録装置１１０については、上述の第一実施形態に係る車載用記録装置１０と同様の変形例が適用可能である。
【００８８】
以上、本願の開示する技術の第一及び第二実施形態について説明したが、本願の開示する技術は、上記に限定されるものでなく、上記以外にも、その主旨を逸脱しない範囲内において種々変形して実施可能であることは勿論である。
【００８９】
なお、上述の本願の開示する技術の一実施形態に関し、更に以下の付記を開示する。
【００９０】
（付記１）
前面に開口を有する筐体と、
前記開口を閉じるカバー部と、前記カバー部の幅方向に突出し前記カバー部の上下方向に延びる直状突起とを有するカバー部材と、
前記筐体の上下方向に延び前記直状突起が挿入された溝と、前記溝の上側に隣接し前記直状突起を回転可能に支持可能な穴とを有し、前記筐体に設けられた支持壁部と、
一端部が前記カバー部材に固定されると共に他端部が前記筐体に固定され、前記カバー部材が閉じた状態において前記カバー部材を下側に付勢するバネ部材と、
を備える車載用記録装置。
（付記２）
前面に開口を有する筐体と、
前記筐体の幅方向に突出し前記筐体の上下方向に延びる直状突起を有し、前記筐体に設けられた支持壁部と、
前記開口を閉じるカバー部と、前記カバー部の上下方向に延び前記直状突起が挿入された溝と、前記溝の下側に隣接し前記直状突起を回転可能に支持可能な穴とを有するカバー部材と、
一端部が前記カバー部材に固定されると共に他端部が前記筐体に固定され、前記カバー部材が閉じた状態において前記カバー部材を下側に付勢するバネ部材と、
を備える車載用記録装置。
（付記３）
前記カバー部材は、前記カバー部の上端部が前記筐体の後側に向けて移動するようにして開かれる、
付記１又は付記２に記載の車載用記録装置。
（付記４）
前記溝は、前記穴の周方向の一部に切り欠かれて形成されている、
付記１〜付記３のいずれか一項に記載の車載用記録装置。
（付記５）
前記カバー部は、
前記カバー部材が閉じた状態において下端部が上端部よりも前記筐体の前側に位置するように傾斜する傾斜部と、
前記カバー部材が閉じた状態において前記傾斜部の下端部から前記筐体の後側に向けて延びると共に前記開口の下縁部に対して前記筐体の前側に突出する指掛け部と、
を有する、
付記１〜付記４のいずれか一項に記載の車載用記録装置。
（付記６）
前記カバー部材に設けられた被係止部と、
前記筐体に設けられ、前記直状突起が前記溝に挿入された状態では、前記筐体の前側から前記被係止部と係止され、前記直状突起が前記穴に移動した状態では、前記被係止部との係止状態が解除される係止部と、
をさらに備える、
付記１〜付記５のいずれか一項に記載の車載用記録装置。
（付記７）
前記直状突起は、前記カバー部の後側に配置され、
前記バネ部材は、一端部及び他端部が前記カバー部材及び前記筐体にそれぞれ回転可能に固定された引張コイルバネであり、
前記引張コイルバネの一端部の回転中心は、前記カバー部材が閉じて前記直状突起が前記溝に挿入された状態、及び、前記カバー部材が持ち上げられて前記直状突起が前記穴に回転可能に支持された状態では、前記引張コイルバネの他端部の回転中心と前記直状突起の回転中心とを通る仮想線よりも前記筐体の前側に位置する、
付記１〜付記６のいずれか一項に記載の車載用記録装置。
（付記８）
前記引張コイルバネの一端部の回転中心は、前記カバー部材が開いた状態では、前記仮想線よりも前記筐体の後側に位置する、
付記７に記載の車載用記録装置。
（付記９）
前記カバー部材に設けられた被当接部と、
前記筐体に設けられると共に、前記被当接部の回転軌跡上に位置し、前記カバー部材が開いた状態において前記被当接部と当接する当接部と、
をさらに備える、
付記１〜付記８のいずれか一項に記載の車載用記録装置。
（付記１０）
前記カバー部材に設けられ、前記カバー部材の幅方向に凸状をなす凸部及び前記カバー部材の幅方向に凹状をなす凹部の一方により形成された被係合部と、
前記筐体に設けられると共に、前記凸部及び前記凹部の他方により形成され、前記カバー部材が開いた状態において前記被係合部と係合する係合部と、
をさらに備える、
付記１〜付記９のいずれか一項に記載の車載用記録装置。
（付記１１）
前記筐体に収容された基板をさらに備える、
付記１〜付記１０のいずれか一項に記載の車載用記録装置。
（付記１２）
前記カバー部の後側に配置され、前記開口の上縁部と前記カバー部の上端部との間の隙間を閉塞する目隠し部と、前記目隠し部の幅方向に延び前記筐体に回転可能に支持された軸部とを有する目隠し部材をさらに備え、
前記カバー部には、前記目隠し部側に突出する凸曲面状の第一凸部が設けられ、
前記目隠し部には、前記カバー部側に突出し、前記カバー部材が閉じた状態において前記第一凸部の頂部よりも上側に当接する第二凸部が設けられている、
付記１〜付記１１のいずれか一項に記載の車載用記録装置。
（付記１３）
車載用デジタルタコグラフ装置、又は、車載用ドライブレコーダ装置である、
付記１〜付記１２のいずれか一項に記載の車載用記録装置。
【符号の説明】
【００９１】
１０、１１０  車載用記録装置
１２  筐体
２０  開口
２２  カバー部材
２４  カバー部
３８  直状突起
４２  溝
４４  穴
４６  傾斜部
４８  指掛け部
５０  被係止部
５２  係止部
５４  第一フック部
５６  第二フック部
５８  引張コイルバネ（バネ部材の一例）
６０  仮想線
６４  仮想線
６６  角部（当接部の一例）
６８  直状突起の端部（被当接部の一例）
７０  被係合部
７２  第一係合部
７４  第二係合部（係合部の一例）
７６  目隠し部材
７８  目隠し部
８０  軸部
８２  トーションバネ
８４  第一凸部
８６  第二凸部
Ｃ１  引張コイルバネの一端部の回転中心
Ｃ２  引張コイルバネの他端部の回転中心
Ｃ３  直状突起の回転中心
【図１】
2019003515.tif 000003
【図２】
2019003515.tif 000004
【図３】
2019003515.tif 000005
【図４】
2019003515.tif 000006
【図５】
2019003515.tif 000007
【図６】
2019003515.tif 000008
【図７】
2019003515.tif 000009
【図８】
2019003515.tif 000010
【図９】
2019003515.tif 000011
【図１０】
2019003515.tif 000012
【図１１】
2019003515.tif 000013
【図１２】
2019003515.tif 000014
【図１３】
2019003515.tif 000015